(57)【要約】【課題】  磁性体を含む着磁用ジェル材の塗布やシートの裁断、洗浄などの面倒な作業手間を要しない消炎鎮痛補助用貼付材を提供する。【解決手段】  磁性体粉末を主材料として含むペースト状物をシート状フィルム袋内に充填・密閉して消炎鎮痛補助用貼付材とする。  また、上記ペースト状物を含浸ないし層着させた多孔性シートをシート状フィルム袋に内包させて消炎鎮痛補助用貼付材とする。【選択図】    図３
0003101603.tif 000002
【実用新案登録請求の範囲】
【請求項１】
磁性体粉末を主材料として含むペースト状物をシート状フィルム袋内に充填・密閉して成ることを特徴とする消炎鎮痛補助用貼付材。
【請求項２】
磁性体粉末を主材料として含むペースト状物を含浸ないし層着させた多孔性シートをシート状フィルム袋に内包させて成ることを特徴とする消炎鎮痛補助用貼付材。
【考案の詳細な説明】
【技術分野】
【０００１】  この考案は、運動後の筋肉痛や腱鞘炎、腰痛、ぎっくり腰、或いはリウマチ、痛風などの疾患に伴う痛みや炎症等を緩和させるために用いる消炎鎮痛補助用貼付材に関する。
【背景技術】
【０００２】  痛みや炎症を伴う症状を緩和するために各種の消炎鎮痛用の貼付材や器具等が市販されていることは周知の通りである。それらのなかで磁石を用いるものもよく知られているが、それらの多くはスポット状に人体に当てがうものであり、最近ではその効果をより高めるために面状に磁気を与える手段も提案されている。【０００３】  例えば、湿布材のようなシート状の磁性体を予め工場で製造しておき、これを患部に貼る方法や、着磁した磁性体を含むジェル材を患部に塗布するなどの方法がある（例えば、技術文献１、技術文献２参照）。【０００４】
【技術文献１】
実願平３−９５１５２
【技術文献２】
得願２００３−１９６８０５
【考案の開示】
【考案が解決しようとする課題】
【０００５】  このような現状において、実際にこれを効果的に実用化させるためには未だ様々な問題点が残されている。すなわち患部などに着磁層を形成する際、その着磁層は可動物であることからどうしてもジェルないしペースト状体である必要があるが、実際には磁性体粉末はジェル材中に均一混合しにくく、またたとえそれを製造しても、運搬などの取り扱い中や患部やガーゼなどへの塗布作業時に磁性体が撹乱され、磁気が著しく低減してしまうという問題点があった。【０００６】  そこで本考案者は、磁性体粉末をジェル状バインダー中に均一混合して得られたジェル材を対象物に塗布した後に、保護シートを介して磁石を当接し該ジェル材を着磁させる手段を既に提案し特許出願済であるが、これを実施するにあたり現場でジェル材の塗布作業やシート類の切断作業がかなり面倒であり、また塗着されたジェル材の洗浄にもかなり手間どるなどの不便があった。本考案の課題はかかる不便を解決することにある。
【課題を解決するための手段】
【０００７】  磁性体粉末１Ａを主材料として含むペースト状物１をシート状フィルム袋２内に充填・密閉して、本考案の消炎鎮痛補助用貼付材とする。【０００８】  或いは、磁性体粉末１Ａを主材料として含むペースト状物１を含浸ないし層着させた多孔性シート３をシート状フィルム袋２に内包させてもよい。【０００９】  磁性体粉末の代表的なものはフェライト粉末である。これをペースト状にするには、通常の軟膏用ジェル材と共に所望軟度になるように調合して練り合わせればよい。【００１０】  シート状フィルム袋２は、よく知られたポリエチレンやポリプロピレンなどの方形プラスチックフィルムを２枚重ねてその三辺縁をウェルダー接着したもので良いが、その縦横寸法は、身体の腕部、背中部、腰部、足部などに合わせたサイズを予め想定して、それに応じたものを各種用意しておくものとする。【００１１】  このシート状フィルム２内に前記ペースト状物１を充填して後に開口辺縁も融着密閉するわけであるが、その際に充填されたペースト状物１は約３ｍｍ厚になるように袋内全体に均されることが好ましい。このようにして使用時において略シート状の形態をなす本考案の消炎鎮痛補助用貼付材が得られる。【００１２】  なお、このようなシート状の形態を保つのを助けるためには、不織布のような無数の微細空隙を内包する多孔性シート３にペースト状物１を含浸ないし層着させて、これを該シート状フィルム袋２内に収めるのも有効な手段である。
【考案の効果】
【００１３】  本考案はこのような構成であるから、これを痛みや炎症に悩む患者の患部に所定寸法のものを当てがい、テープや包帯などで固定して、その上から強力な磁石を当てて着磁する。すると着磁された当該貼付材は長期にわたって面状に磁気を患部に与え続けることができる。その消炎鎮痛作用・効果は既に多数の実施体験で実証済みである。【００１４】  その際、本考案においては磁気をもつペースト状物１がシート状フィルム袋２内に終始内包されたままであるから、これを使用時において塗布する手間も要さなければ肌に付いたペースト状物を洗い流す必要もない。また予め所定寸法のものを各種用意しておけば、使用時にこれを裁断する必要もなく、更に該フィルム袋２内に密封されているからペースト状物１が乾燥・固化することがなく、長期にわたって反復使用できるなどの効果がある。
【考案を実施するための最良の形態】
【００１５】  軟膏用ジェル材８重量部と平均粒径約３０μｍのフェライト粉末８重量部とを均一混合してペースト状物１とする。別に約１００μｍ厚のポリプロピレンフィルムを人体の胸部、腰部、腕部、脚部などのサイズに合わせた各種寸法の長方形に裁断してその三辺をウェルダー加工したシート状袋体を用意し、その中に上記ペースト状物１を充填して残りの一辺もウェルダー加工し密閉する。その際の充填量は、全体に均したときの厚みがおよそ１〜５ｍｍになるようにする。このような各種寸法の磁性体入りシート状袋体に着磁させるための強力磁石や、身体各部に取付けるためのバンド、テーブ、絆創膏などの止め具をセットにして商品化するものとする。【００１６】  なお、保護シート付き絆創膏テープを磁性体入りシート状袋体の辺縁部に予め取付けておけば、使用時には保護シートを除去することにより直ちに身体の患部に貼付することができ、他に止め具は不要となる。
【実施例】
【００１７】  縦横寸法がそれぞれ約１０×１５ｃｍ、１０×２０ｃｍ、１５×２０ｃｍ、その他、腕、脚、肩、背中、腰など大人や小人用の各サイズの長方形ポリ袋を一対ずつ用意し、その中に前記のフェライト粉末入りペーストを充填して開口辺を融着密閉し、ローラーで均して厚さ２〜３ｍｍのシート状物とする。或いは厚さ１〜２ｍｍの不織布に同ペーストを１〜２ｍｍ塗布してこれを同じく長方形ポリ袋内に収め、開口辺を融着密閉して同様のシート状物とする。
【産業上の利用可能性】
【００１８】  上記の本考案の消炎鎮痛補助用貼付材は、これに小型アイロンこて状強力磁石をセットにして用意することにより、筋肉痛、腰痛、肩凝り、痛風、リウマチ、その他甚だ多方面の疾患症状を緩和させるのに甚だ便利であることが実証されており、産業上の利用可能性は甚大なものがある。
【図面の簡単な説明】
【００１９】
【図１】本考案一例の部分拡大断面図
【図２】本考案別例の部分拡大断面図
【図３】本考案一例の部分断面見取図
【符号の説明】
【００２０】  １‥‥‥ペースト状物
１Ａ‥‥‥磁性体粉末
２‥‥‥シート状フィルム袋
３‥‥‥多孔性シート
【図１】
0003101603.tif 000003
【図２】
0003101603.tif 000004
【図３】
0003101603.tif 000005